(57)【特許請求の範囲】
【請求項１】
結像面に結像された被写体像を表わす映像信号を出力する固体電子撮像素子および上記固体電子撮像素子から出力される映像信号を入力し信号処理を行なう信号処理回路が実装された基板，
被写体像を上記固体電子撮像素子の結像面に結像するレンズ鏡筒，ならびに
上記基板および上記撮像レンズを内蔵するキャビネットを備えており，
上記レンズ鏡筒がその光軸が上記固体電子撮像素子の中心軸に一致するように上記基板に固定されているとともに，上記キャビネットに固定するための固定部が設けられ，この固定部によって上記キャビネットに固定されており，
上記基板は上記レンズ鏡筒が固定された箇所とは異なる位置においてキャビネットに固定されている，
撮像装置。
【請求項２】
上記基板の一端部付近に上記レンズ鏡筒が固定され，上記基板の他端部付近で上記基板がキャビネットに固定されている，請求項１に記載の撮像装置。
【請求項３】
上記基板の固定部に，上記基板を上記キャビネットに固定するためのねじの径よりも大きな径をもつ孔または幅をもつ切欠きが形成されている，請求項１または２に記載の撮像装置。
【請求項４】
結像面に結像された被写体像を表わす映像信号を出力する固体電子撮像素子および上記固体電子撮像素子から出力される映像信号を入力し信号処理を行なう信号処理回路が実装された基板，
被写体像を上記固体電子撮像素子の結像面に結像するレンズ鏡筒，ならびに
上記基板および上記撮像レンズを内蔵するキャビネットを備えており，
上記レンズ鏡筒がその光軸が上記固体電子撮像素子の中心軸に一致するように上記基板にそのほぼ中央部に固定されているとともに，上記キャビネットに固定するための固定部が設けられ，この固定部によって上記キャビネットに固定され，
上記基板はその隅部において緩衝部材を介してゆるく上記キャビネットに固定されている，
撮像装置。
【請求項５】
上記緩衝部材がグロメットである，
請求項４に記載の撮像装置。
【発明の詳細な説明】
【０００１】
【技術分野】
この発明は，基板に実装された固体電子撮像素子を内蔵する撮像装置に関する。
【０００２】
【背景技術】
ムービ・ビデオ・カメラ，スチル・ビデオ・カメラなどに用いられる撮像装置は，撮像装置のキャビネット内には，固体電子撮像素子，固体電子撮像素子の受光面上に被写体像を結像する撮像レンズ，および固体電子撮像素子から出力され被写体像を表わす映像信号の処理を行なう信号処理回路が実装された基板が設けられている。
【０００３】
固体電子撮像素子は信号処理回路が配置された基板とは別個の基板に実装されている。このためキャビネット内には複数枚の基板が配置されることになり，撮像装置の小型化が困難である。
【０００４】
固体電子撮像素子を信号処理回路と同一の基板に実装しないのは次の理由による。信号処理回路が実装された比較的大きな基板上に固体電子撮像素子が実装されているとする。撮像レンズを含むレンズ鏡筒が固体電子撮像素子を囲む位置において基板に固定され，固体電子撮像素子とレンズ鏡筒との光軸調整が行なわれる。レンズ鏡筒がキャビネットに固定される。この後，基板がキャビネットに固定される。光軸調整が行なわれた撮像レンズがキャビネットに固定された後，基板をキャビネットに固定するときに基板に与えられる力により，基板上の固体電子撮像素子の中心軸と撮像レンズの光軸とにずれが生じるのである。
【０００５】
【発明の開示】
この発明は，固体電子撮像素子を備えた撮像装置において，基板に固定された固体電子撮像素子の中心軸と撮像レンズの光軸とのずれを防ぎつつ，撮像装置の小型化を図ることを目的とする。
【０００６】
第１の発明による撮像装置は，結像面に結像された被写体像を表わす映像信号を出力する固体電子撮像素子および上記固体電子撮像素子から出力される映像信号を入力し信号処理を行なう信号処理回路が実装された基板，被写体像を上記固体電子撮像素子の結像面に結像するレンズ鏡筒，ならびに上記基板および上記撮像レンズを内蔵するキャビネットを備えている。上記レンズ鏡筒はその光軸が上記固体電子撮像素子の中心軸に一致するように上記基板に固定されているとともに，上記キャビネットに固定するための固定部が設けられ，この固定部によって上記キャビネットに固定されている。上記基板は上記レンズ鏡筒が固定された箇所とは異なる位置においてキャビネットに固定されている。
【０００７】
第１の発明の撮像装置によると，基板に固体電子撮像素子と信号処理回路とが配置されている。光軸が，基板上の固体電子撮像素子の中心軸に一致するようにレンズ鏡筒が位置決めされかつ基板に固定されている。レンズ鏡筒がその固定部においてキャビネットに固定される。レンズ鏡筒が固定された位置とは異なる位置において基板がキャビネットに固定される。
【０００８】
基板はレンズ鏡筒が固定されている位置とは離れた位置においてのみキャビネットに固定されているので，基板とレンズ鏡筒との固定部分に無理な力が加わることがなく，固体電子撮像素子の中心軸と撮像レンズの光軸とのずれを防止できる。また，一つの基板上に固体電子撮像素子と信号処理回路とが実装されているので，撮像装置の小型化を図ることができる。
【０００９】
好ましくは，基板の一端部付近に上記レンズ鏡筒が固定され，上記基板の他端部付近で上記基板がキャビネットに固定される。
【００１０】
基板の固定部とレンズ鏡筒との間の距離が長いため，基板の固定によって多少基板にねじりが生じることがあっても，それが固体電子撮像素子とレンズ鏡筒との軸のずれに及ぼす影響は殆んどない。
【００１１】
好ましくは上記基板の固定部に，上記基板を上記キャビネットに固定するためのねじの径よりも大きな径をもつ孔または幅をもつ切欠きが形成されている。したがって，基板を固定する位置の自由度が高まり，基板に無理な力を加えることなく基板をキャビネットに固定できる。
【００１２】
第２の発明による撮像装置は，結像面に結像された被写体像を表わす映像信号を出力する固体電子撮像素子および上記固体電子撮像素子から出力される映像信号を入力し信号処理を行なう信号処理回路が実装された基板，被写体像を上記固体電子撮像素子の結像面に結像するレンズ鏡筒，ならびに上記基板および上記撮像レンズを内蔵するキャビネットを備えている。上記レンズ鏡筒はその光軸が上記固体電子撮像素子の中心軸に一致するように上記基板にそのほぼ中央部に固定されているとともに，上記キャビネットに固定するための固定部が設けられ，この固定部によって上記キャビネットに固定される。上記基板はその隅部において緩衝部材を介してゆるく上記キャビネットに固定される。
【００１３】
基板は緩衝部材（たとえばグロメット）を介してキャビネットに固定されるので，基板は多少の範囲で動くことができる。したがって，基板の固定にともなって，固体電子撮像素子の中心軸とレンズ鏡筒の光軸をずらすような無理な力は加わらない。また，一枚の基板に固体電子撮像素子と信号処理回路とを設けているので，小型化を達成できる。
【００１４】
【実施例の説明】
図１および図２は，この発明の第１実施例を示している。図１は撮像装置の組立て斜視図，図２は撮像装置の拡大縦断面図である。
【００１５】
撮像装置のキャビネットは下側半体３０Ａと上側半体３０Ｂとから構成される（上，下とは図１を基準に定める）。この撮像装置は，たとえば支柱または脚の上部に支持され，その真下に置かれた原稿等を撮像してその映像信号を出力するものである。映像信号は大型の表示装置に与えられ，原稿の画像が表示される。
【００１６】
キャビネットの下側半体３０Ａの底面の端に近い位置に下方に突出する筒体３３が一体的に形成されている。この筒体３３の先端部には内側にのびるフランジ３５Ａが形成され，このフランジ３５Ａの内側が開口して窓３８となっている。この窓３８を通して被写体の光像が入射する。また，筒体３３の先端部内面に複数箇所にレンズ鏡筒位置出し用リブ３５Ｂが形成されている。
【００１７】
キャビネットの下側半体３０Ａの底面において，筒体３３の位置を挾んだ両側にはレンズ鏡筒固定用の第１の支柱３２が一体的に立設されている。これらの支柱３２は下側半体３０Ａの長手方向に並んでいる。第１の支柱３２はその上端から軸方向に雌ねじ３１が形成されている。
【００１８】
筒体３３が形成されているキャビネット下側半体３０Ａの端部と反対側の端部の両隅の位置には基板固定用の第２の支柱３７が立設されている。第２の支柱３７にも雌ねじ３６が形成されている。
【００１９】
キャビネット内には基板１０が収納される。基板１０の下面であって，筒体３３が形成された位置に相当する部分に固体電子撮像素子としてのＣＣＤ１３が基板１０に固定されている。このＣＣＤ１３を覆うようにレンズ鏡筒２０がねじ，その他の固定方法により基板１０の下面に固定されている。レンズ鏡筒２０はＣＣＤ１３の中心軸とレンズ鏡筒２０の光軸とが一致するように，位置決めされて固定される。レンズ鏡筒２０は撮像レンズ系を含む。必要に応じて，ズーム・レンズ，絞り，シャッタ等が内蔵される。レンズ鏡筒２０の取付位置の全体を覆うように，ノイズを遮光するためのシールド・ケース１２が基板１０の上面に取付けられる。
【００２０】
レンズ鏡筒２０の外周面にはレンズ鏡筒固定用のフランジ２２が２個所において外方に突出して形成されている。フランジ２２には孔２１が形成されている。
【００２１】
基板１０において，フランジ２２の孔２１に対応する位置に穴１１が形成されている。この穴１１はレンズ固定用ねじ４１およびドライバ先端部が通過可能な大きさである。
【００２２】
また，基板１０の上面にはＣＣＤ１３から出力される映像信号の色バランス調整等を含む撮像処理を行う撮像回路１４，撮像回路１４から出力される映像信号を再生処理するビデオ回路１５が実装されている。
【００２３】
基板１０の他端部には，キャビネットの下側半体３０Ａの第２の支柱３７に対応する位置にＵ字状切欠き１６が形成されている。このＵ字状切欠き１６の幅は基板固定用ねじ４６の径よりも大きい。このねじ４６の頭よりも大きくしてもよい。この場合には基板１０のねじ止めに際してＵ字状切欠き１６の幅よりも大きい径をもつワッシャが用いられよう。
【００２４】
撮像装置を組立てる場合，ＣＣＤ１３，撮像回路１４およびビデオ回路１５が実装された基板１０に，ＣＣＤ１３の中心軸とレンズ鏡筒２０の光軸とが一致するように，レンズ鏡筒２０が基板１０に固定され，さらにシールド・ケース１２が取付けられる。
【００２５】
レンズ鏡筒２０が筒体３３内に挿入され，レンズ鏡筒２０の先端部の段部２３がリブ３５Ｂによって位置決めされる。レンズ固定用ねじ４１が，開口１１から孔２１を通して第１の支柱３２の雌ねじ３１にねじ止めされる。これにより，基板１０に固定されたレンズ鏡筒２０がキャビネット下側半体３０Ａに固定される。レンズ鏡筒２０が下側半体３０Ａに固定されており，レンズ鏡筒２０が取付けられている付近において基板１０はどこにも固定されていないので，基板１０に固定されたＣＣＤ１３の中心軸と撮像レンズ２０の光軸とがずれることが防止されている。
【００２６】
基板１０に形成されたＵ字状切欠き１６を通して，基板固定用ねじ４６が第２の支柱３７にねじ止めされる。これにより基板１０がその端部（レンズ鏡筒２０が取付けられた端部とは反対側の端部）においてのみ下側半体３０Ａに固定される。
【００２７】
Ｕ字状切欠き１６の中心と第２の支柱３７の雌ねじ３６の中心との間に若干のずれがあっても，Ｕ字状切欠き１６の幅はねじ４６の径よりも大きいので，このずれをＵ字状切欠き１６が吸収する。基板１０には無理な力が加わることはない。基板１０を下側半体３０Ａに固定するときに基板１０に無理な力が加わらないので，ＣＣＤ１３の中心軸と撮像レンズ２０の光軸とがずれるおそれはない。
【００２８】
下側半体３０Ａに固定される鏡筒２０は基板１０の一方の端部にあり，下側半体３０Ａに直接に基板１０を固定するためのＵ字状切欠き１６は基板１０の他方の端にあり，これら２個所の固定部間の間隔が比較的長いものとなっている。このため支柱３２，３７等の高さに若干の製造誤差があり，固定された基板１０に多少のねじりが加わったとしても，ＣＣＤ１３が固定されている基板部分のねじれ角はきわめて小さい。これによってもＣＣＤ１３の中心軸と撮像レンズ２０の光軸とのずれを押えることができる。
【００２９】
最後に下側半体３０Ａと上側半体３０Ｂとが溶着，接着，ねじ止めなどにより固定され，撮像装置が完成する。
【００３０】
レンズ鏡筒２０の前方に存在する被写体の被写体像がレンズ鏡筒２０によりＣＣＤ１３の結像面に結像する。ＣＣＤ１３から被写体像を表わす映像信号が出力され撮像回路１４に与えられる。撮像回路１４において，色バランス調整，ガンマ補正などの撮像処理が行なわれる。この回路１４の出力信号は，ビデオ回路１５に与えられる。ビデオ回路１５においてＮＴＳＣ映像信号生成処理などの再生処理が行なわれ，外部に出力される。撮像装置から出力された映像信号は表示装置（図示略）に与えられ，被写体を表わす被写体像が表示される。
【００３１】
Ｕ字状切欠き１６に代えて，基板固定用ねじ４６の雄ねじ部分がゆるく通る程度の大きさの孔としてもよい。Ｕ字状切欠き１６または孔による基板の下側半体３０Ａへの固定部分と，レンズ鏡筒の下側半体３０Ａへの固定部分との間の間隔は，上記実施例ほど長く取る必要は必ずしもない。
【００３２】
図３および図４は，この発明の第２実施例を示している。図３は撮像装置の組立て斜視図，図４は，撮像装置の拡大縦断面図である。これらの図において図１および図２に示すものと同一物には同一符号を付し，重複説明を避ける。
【００３３】
この撮像装置においては下側半体３０Ａのほぼ中央部分に筒体３３が形成されている。筒体３３を挾む位置に，下側半体３０Ａの長手方向と直交する方向に並んで第１の支柱３２が立設されている。また，下側半体３０Ａの四隅の位置に第２の支柱３７が立設されている。
【００３４】
基板１０の下面のほぼ中央の位置にＣＣＤ１３が固定され，このＣＣＤ１３を覆うように基板１０の下面にレンズ鏡筒２０が基板１０に固定されている。下側半体３０Ａの第１の支柱３２に対向する位置において，基板１０には穴１１が形成されている。
【００３５】
基板１０の四隅には，下側半体３０Ａの四隅に立設された第２の支柱３７に対向する位置にΩ形の切欠き１６Ａが形成されている。この切欠き１６にはグロメット５６がゆるく差込まれる。グロメット５６は上下にフランジを有し，かつ中心に孔５８があけられたものである。
【００３６】
基板１０に固定されたＣＣＤ１３の中心軸とレンズ鏡筒２０の光軸とが一致するように，レンズ鏡筒２０が基板１０に固定される。
【００３７】
レンズ鏡筒２０が筒体３３内に挿入され，リブ３５Ａによって位置決めされる。レンズ鏡筒固定用ねじ４１が，孔２１を通して第１の支柱３２の雌ねじ３１にねじ止めされる。これにより，基板１０に固定されたレンズ鏡筒２０が下側半体３０Ａに固定される。
【００３８】
基板１０Ａの四隅の孔１６Ａにはめ込まれたグロメット５６の孔５８を通して基板固定用ねじ４６が第２の支柱３７にねじ止めされる。これにより基板１０が四箇所で下側半体３０Ａに固定される。
【００３９】
基板１０は，グロメット５６を介して下側半体３０Ａに固定される。グロメット５６は基板１０Ａにゆるく取付けられているので基板１０Ａはある程度の範囲で自由に動く。これにより，基板１０には無理な力が加わらず，基板１０Ａに固定されたＣＣＤ１３の中心軸と撮像レンズ２０の光軸ずれを防止できる。
【図面の簡単な説明】
【図１】第１の実施例による撮像装置の組立て斜視図である。
【図２】図１に示す撮像装置の拡大縦断面図である。
【図３】第２の実施例による撮像装置の組立て斜視図である。
【図４】図３に示す撮像装置の拡大縦断面図である。
【符号の説明】
１０  基板
１３  ＣＣＤ
１６，１６Ａ  Ｕ字状切欠き
２０  レンズ鏡筒
３２  第１の支柱
３７  第２の支柱
【図１】
0003557269.tif 000002
【図２】
0003557269.tif 000003
【図３】
0003557269.tif 000004
【図４】
0003557269.tif 000005